(57)【要約】【課題】光軸方向における薄型化を図る。【解決手段】可動レンズ１７（２１）を保持する可動用レンズホルダー１４（１８）のカム駆動軸１６ａ（２０ａ）を、その軸方向が光軸方向に直交する第１の方向となるように配置し、カム駆動軸を摺動自在に支持するカム部材３を回転させる１相ステッピングモーター３１のコイル体３４を、その軸方向が上記光軸方向に直交し、かつ、上記第１の方向に直交する第２の方向となるように配置した。【選択図】        図１
2004191657.tif 000002
【特許請求の範囲】
【請求項１】
可動レンズを保持しカム駆動軸が設けられた少なくとも１つの可動用レンズホルダーと、一方向に長く形成されたコイル体を有する１相ステッピングモーターと、該１相ステッピングモーターの駆動力が伝達される減速機構と、上記カム駆動軸を摺動自在に支持するカム部を有し１相ステッピングモーターの駆動力が上記減速機構を介して伝達されて回転されるカム部材と、可動用レンズホルダーを光軸方向へ案内する案内手段と、可動用レンズホルダーを上記光軸方向へ移動可能に支持するレンズ鏡筒と、該レンズ鏡筒に取り付けられた撮像素子とを備え、可動用レンズホルダーに保持された可動レンズがカム部材の回転によって光軸方向へ移動されるカメラ装置であって、
可動用レンズホルダーのカム駆動軸を、その軸方向が上記光軸方向に直交する第１の方向となるように配置し、
１相ステッピングモーターのコイル体を、その軸方向が上記光軸方向に直交し、かつ、上記第１の方向に直交する第２の方向となるように配置した
ことを特徴とするカメラ装置。
【請求項２】
上記カム部材を略扇状に形成し、
上記撮像素子の外形内においてカム部材を回転させるようにした
ことを特徴とする請求項１に記載のカメラ装置。
【請求項３】
上記可動用レンズホルダーを、第１の可動レンズを保持する第１の可動用レンズホルダーと、光軸が第１の可動レンズの光軸に一致された第２の可動レンズを保持する第２の可動用レンズホルダーとによって構成し、
上記案内手段を、上記光軸方向に延び互いに平行に配置した４本の案内軸によって構成し、
該４本の案内軸を、第１の可動用レンズホルダーを案内する一対の第１の案内軸と第２の可動用レンズホルダーを案内する一対の第２の案内軸とし、
上記光軸に直交する面内において交点が光軸に略一致する任意の第１の直線と第２の直線のうち、第１の直線上の上記交点を挟んだ反対側の任意の点に上記一対の第１の案内軸の中心軸を交差させ、第２の直線上の上記交点を挟んだ反対側の任意の点に上記一対の第２の案内軸の中心軸を交差させるようにした
ことを特徴とする請求項１に記載のカメラ装置。
【請求項４】
上記第１の直線と第２の直線が、上記光軸に直交する面内において各対辺がそれぞれ上記第１の方向と第２の方向に略一致する長方形の対角線であり、
上記一対の第１の案内軸と一対の第２の案内軸の各中心軸を上記長方形の各頂点に交差させるようにした
ことを特徴とする請求項３に記載のカメラ装置。
【請求項５】
上記可動用レンズホルダーを、第１の可動レンズを保持する第１の可動用レンズホルダーと、光軸が第１の可動レンズの光軸に一致された第２の可動レンズを保持する第２の可動用レンズホルダーとによって構成し、
上記第１の可動用レンズホルダーと第２の可動用レンズホルダーの少なくとも一方に、第２の可動用レンズホルダー側又は第１の可動用レンズホルダー側へ突出し第２の可動用レンズホルダー又は第１の可動用レンズホルダーの移動範囲にオーバーラップする突部を設け、
該突部の少なくとも一方に上記カム駆動軸を設けた
ことを特徴とする請求項１に記載のカメラ装置。
【請求項６】
上記撮像素子を保持すると共に上記可動用レンズホルダーに保持された可動レンズに対向して配置される素子ホルダーを設け、
該素子ホルダーに、可動用レンズホルダー側に突出されレンズ鏡筒に対する位置決めを行うための位置決め用突部を設け、
可動用レンズホルダーに位置決め用突部が挿入可能な逃げ凹部を形成した
ことを特徴とする請求項１に記載のカメラ装置。
【請求項７】
第１の可動レンズを保持しカム駆動軸が設けられた第１の可動用レンズホルダーと、光軸が第１の可動レンズの光軸に一致された第２の可動レンズを保持しカム駆動軸が設けられた第２の可動用レンズホルダーと、上記カム駆動軸をそれぞれ摺動自在に支持する第１のカム部と第２のカム部とを有する回転可能なカム部材と、第１の可動用レンズホルダー及び第２の可動用レンズホルダーを光軸方向へ案内する案内手段と、第１の可動用レンズホルダーと第２の可動用レンズホルダーをを上記光軸方向へ移動可能に支持するレンズ鏡筒と、該レンズ鏡筒に取り付けられた撮像素子とを備え、第１の可動用レンズホルダーに保持された第１の可動レンズと第２の可動用レンズホルダーに保持された第２の可動レンズとがカム部材の回転によって光軸方向へ移動されるカメラ装置であって、
上記第１の可動用レンズホルダーと第２の可動用レンズホルダーの少なくとも一方に、第２の可動用レンズホルダー側又は第１の可動用レンズホルダー側へ突出し第２の可動用レンズホルダー又は第１の可動用レンズホルダーの移動範囲にオーバーラップする突部を設け、
該突部の少なくとも一方に上記カム駆動軸を設けた
ことを特徴とするカメラ装置。
【請求項８】
上記カム部材を略扇状に形成し、
上記撮像素子の外形内においてカム部材を回転させるようにした
ことを特徴とする請求項７に記載のカメラ装置。
【請求項９】
上記案内手段を、上記光軸方向に延び互いに平行に配置した４本の案内軸によって構成し、
該４本の案内軸を、第１の可動用レンズホルダーを案内する一対の第１の案内軸と第２の可動用レンズホルダーを案内する一対の第２の案内軸とし、
上記光軸に直交する面内において交点が光軸に略一致する任意の第１の直線と第２の直線のうち、第１の直線上の上記交点を挟んだ反対側の任意の点に上記一対の第１の案内軸の中心軸を交差させ、第２の直線上の上記交点を挟んだ反対側の任意の点に上記一対の第２の案内軸の中心軸を交差させるようにした
ことを特徴とする請求項７に記載のカメラ装置。
【請求項１０】
上記第１の直線と第２の直線が、上記光軸に直交する面内において各対辺がそれぞれ上記第１の方向と第２の方向に略一致する長方形の対角線であり、
上記一対の第１の案内軸と一対の第２の案内軸の各中心軸を上記長方形の各頂点に交差させるようにした
ことを特徴とする請求項９に記載のカメラ装置。
【請求項１１】
上記撮像素子を保持すると共に上記可動用レンズホルダーに保持された可動レンズに対向して配置される素子ホルダーを設け、
該素子ホルダーに、可動用レンズホルダー側に突出されレンズ鏡筒に対する位置決めを行うための位置決め用突部を設け、
可動用レンズホルダーに位置決め用突部が挿入可能な逃げ凹部を形成した
ことを特徴とする請求項７に記載のカメラ装置。
【発明の詳細な説明】
【０００１】
【発明が属する技術分野】
本発明は、カメラ装置に関する。詳しくは、光軸方向へ移動可能な可動レンズを備えたカメラ装置において、各部の配置を工夫することにより光軸方向における薄型化を図る技術分野に関する。
【０００２】
【従来の技術】
近年、カメラ装置はビデオカメラやスチルカメラとして用いられるだけでなく、例えば、ノートブック型のパーソナルコンピューター、携帯電話、ＰＤＡ等の各種の電子機器にも組み込まれるようになっている。
【０００３】
カメラ装置には、可動レンズを光軸方向へ移動させて変倍調整や焦点調整が可能とされているものがある。このような変倍調整や焦点調整が可能な従来のカメラ装置には、駆動源としてモーターを用い（例えば、特許文献１参照）、カム部材（特許文献１においては「駆動円板３０」）を回転させることによって可動レンズを光軸方向へ移動可能としたものがある。
【０００４】
【特許文献１】
昭６３―２８２７１２号公報
【０００５】
【発明が解決しようとする課題】
ところが、従来のカメラ装置にあっては、カム部材を回転させるための駆動源となるモーターは、そのモーター軸が光軸方向へ延びるように配置されており、その分、装置全体が光軸方向に長く光軸方向における薄型に支障を来たしている。
【０００６】
また、従来のカメラ装置にあっては、光軸方向に長いプーリーやウォーム等がモーターの駆動力をカム部材に伝達するための伝達機構として用いられており、装置全体が光軸方向に一層長くなっている。
【０００７】
さらに、従来のカメラ装置にあっては、可動レンズを保持する２つの保持枠を光軸方向へ移動させるための２つのカム駆動軸（特許文献１においては「ピン３１」と「カムフォロア３４」）が、光軸方向に大きく離隔して位置されているため、装置全体が光軸方向において一層長くなっている。
【０００８】
このように光軸方向の長いカメラ装置では、ノートブック型のパーソナルコンピューター、携帯電話、ＰＤＡ等の特に薄型化が必要とされる電子機器に組み込むことは困難であり、これらの電子機器の機能性の向上を図る妨げとなってしまう。
【０００９】
そこで、本発明カメラ装置は、光軸方向における薄型化を図ることを課題とする。
【００１０】
【課題を解決するための手段】
本発明カメラ装置は、上記した課題を解決するために、可動レンズを保持する可動用レンズホルダーのカム駆動軸を、その軸方向が光軸方向に直交する第１の方向となるように配置し、カム駆動軸を摺動自在に支持するカム部材を回転させる１相ステッピングモーターのコイル体を、その軸方向が上記光軸方向に直交し、かつ、上記第１の方向に直交する第２の方向となるように配置したものである。
【００１１】
従って、本発明カメラ装置にあっては、可動用レンズホルダーのカム駆動軸及びコイル体は、何れも軸方向が光軸方向に直交する方向となるように配置される。
【００１２】
別の本発明カメラ装置は、上記した課題を解決するために、第１の可動レンズを保持する第１の可動用レンズホルダーと第２の可動レンズを保持する第２の可動用レンズホルダーの少なくとも一方に、第２の可動用レンズホルダー側又は第１の可動用レンズホルダー側へ突出し第２の可動用レンズホルダー又は第１の可動用レンズホルダーの移動範囲にオーバーラップする突部を設け、該突部の少なくとも一方にカム部材に摺動自在に支持されるカム駆動軸を設けたものである。
【００１３】
従って、本発明カメラ装置にあっては、２つのカム駆動軸が光軸方向において接近して位置される。
【００１４】
【発明の実施の形態】
以下に、本発明カメラ装置の実施の形態を添付図面を参照して説明する。尚、以下に示す実施の形態は、本発明を携帯電話機に組み込まれるカメラ装置に適用したものである。
【００１５】
カメラ装置１はレンズ鏡筒２に配置又は支持された各レンズとカム部材３と配置ケース４内に配置されカム部材３を回転させる駆動機構とを備えている。
【００１６】
尚、以下の説明にあっては、各レンズの光軸方向をＸ方向（前後方向）とし、Ｘ方向に直交する各方向をＹ方向（左右方向）及びＺ方向（上下方向）とする。また、Ｙ方向及びＺ方向は何れも光軸方向Ｘに直交する方向であり、Ｙ方向を光軸方向に直交する第１の方向、Ｚ方向を光軸方向に直交する第２の方向とする。
【００１７】
レンズ鏡筒２は後方に開口された箱状を為す本体部５と該本体部５の左右両側部にそれぞれ設けられたケース取付部６、６とが一体に形成されて成る（図１及び図２参照）。本体部５は、前面部７と上面部８と下面部９と側面部１０、１０とから成る。
【００１８】
本体部５の前面部７の中央部には取付孔７ａが形成され、図１に示すように、取付孔７ａの周囲に軸挿入孔７ｂ、７ｂ、７ｃ、７ｃが形成されている。軸挿入孔７ｂ、７ｂは取付孔７ａの中心を挟んで互いに反対側に位置され、取付孔７ａの中心を基準として右斜め上と左斜め下に形成されている。軸挿入孔７ｃ、７ｃも取付孔７ａの中心を挟んで互いに反対側に位置され、取付孔７ａの中心を基準として左斜め上と右斜め下に形成されている。軸挿入孔７ｂ、７ｂ、７ｃ、７ｃは、取付孔７ａの中心から同距離の位置に形成されている。
【００１９】
本体部５の上面部８には、その前端部に円弧状に形成された摺動突部８ａが設けられている（図１参照）。上面部８には左右に離間して前後に長い挿通溝８ｂ、８ｃが形成され、該挿通溝８ｂ、８ｃは後方に開口されている。上面部８の後端部には軸支持孔８ｄが形成されている。上面部８の後端部の左右方向における中央部には、後方へ突出された挿入突部８ｅが設けられている。
【００２０】
ケース取付部６、６は、その上面６ａ、６ａが上面部８より高い位置に形成されている。上面６ａ、６ａには、それぞれ円形の位置決め突部１１、１１が設けられ、該位置決め突部１１、１１にそれぞれ取付螺孔１１ａ、１１ａが形成されている。
【００２１】
レンズ鏡筒２の取付孔７ａには前面レンズホルダー１２が取り付けられ、該前面レンズホルダー１２には前面レンズ１３が保持されている（図２及び図３参照）。
【００２２】
レンズ鏡筒２内の前面レンズホルダー１２の後側には、第１の可動用レンズホルダー１４が前後方向へ移動可能に支持されている（図２及び図３参照）。第１の可動用レンズホルダー１４は、図４及び図６に示すように、保持枠部１５と該保持枠部１５の上端部における右端部から後方へ突出された突部１６とが一体に形成されて成り、該突部１６に上方へ突出されたカム駆動軸１６ａが設けられている。
【００２３】
保持枠部１５には第１の可動レンズ１７が保持されており、該第１の可動レンズ１７は前面側レンズ１７ａと後面側レンズ１７ｂとが前後で接合されて成る（図２及び図３参照）。
【００２４】
第１の可動用レンズホルダー１４には保持枠部１５の前面と突部１６の後面とを貫通する軸挿通孔１４ａが形成され、保持枠部１５の下端部における左端部には軸挿通切欠１４ｂが形成されている。保持枠部１５の上端部における左端部と下端部における右端部には、それぞれ逃げ切欠１５ａ、１５ｂが形成されている。
【００２５】
レンズ鏡筒２内の第１の可動用レンズホルダー１４の後側には、第２の可動用レンズホルダー１８が前後方向へ移動可能に支持されている（図２及び図３参照）。第１の可動用レンズホルダー１８は、図５及び図６に示すように、保持枠部１９と該保持枠部１９の上端部における左端部から前方へ突出された突部２０とが一体に形成されて成り、該突部２０に上方へ突出されたカム駆動軸２０ａが設けられている。
【００２６】
保持枠部１９には第２の可動レンズ２１が保持されている（図２及び図３参照）。
【００２７】
第２の可動用レンズホルダー１８には突部２０の前面と保持枠部１９の後面とを貫通する軸挿通孔１８ａが形成され、保持枠部１９の下端部における右端部には軸挿通切欠１８ｂが形成されている。保持枠部１９の上端部における右端部と下端部における左端部には、それぞれ逃げ切欠１９ａ、１９ｂが形成されている。保持枠部１９の左右両側縁と下縁には、それぞれ逃げ凹部１９ｃ、１９ｃ、１９ｃが形成され（図３及び図６参照）、該逃げ凹部１９ｃ、１９ｃ、１９ｃは後方及び外周方向に開口されている。
【００２８】
レンズ鏡筒２の後端部には素子ホルダー２２が取り付けられている（図２及び図３参照）。素子ホルダー２２は、図７に示すように、扁平な略矩形状に形成された保持部２３と該保持部２３の前面から突出された位置決め用突部２４とが一体に形成されて成る。
【００２９】
保持部２３には後方に開口された取付凹部２３ａが形成されている（図２及び図３参照）。保持部２３の中央部には透過孔２３ｂが形成されている。保持部２３には、透過孔２３ｂの周囲に軸挿入孔２３ｃ、２３ｃ、２３ｄ、２３ｄが形成され（図７参照）、該軸挿入孔２３ｃ、２３ｃ、２３ｄ、２３ｄは、それぞれ光軸方向においてレンズ鏡筒２に形成された軸挿入孔７ｂ、７ｂ、７ｃ、７ｃに対応して位置されている。保持部２３の上端部には、その左右方向における中央部に挿入切欠２３ｅが形成されている。
【００３０】
位置決め用突部２４は下方に位置し左右に長い下壁部２４ａと該下壁部２４ａの左右両側部からそれぞれ上方へ突出された側壁部２４ｂ、２４ｂとから成る。
【００３１】
保持部２３の取付凹部２３ａには、撮像素子２５が取り付けられている（図２及び図３参照）。撮像素子２５としては、例えば、基体２５ａに電極板２５ｂが結合されて成る電荷結合素子（ＣＣＤ：Charge Coupled Device）が用いられている。
【００３２】
素子ホルダー２２は、位置決め用突部２４の下壁部２４ａと側壁部２４ｂ、２４ｂとが、それぞれレンズ鏡筒２の下面部９の内側開口縁と側面部１０、１０の内側開口縁とに係合され、挿入切欠２３ｅに本体部５の挿入突部８ｅが挿入されることによりレンズ鏡筒２の後端部に取り付けられる。
【００３３】
素子ホルダー２２がレンズ鏡筒２の後端部に取り付けられるときには、撮像素子２５の第２の可動レンズ２１に対する最適位置を決定するためのフランジバック調整が行われる。フランジバック調整は、第２の可動レンズ２１がワイド端に位置するとき及びテレ端に位置するときのそれぞれに対して行われ、第２の可動レンズ２１をワイド端又はテレ端に位置させた状態において素子ホルダー２２をレンズ鏡筒２に対して前後方向へ移動させる。
【００３４】
このとき第２の可動用レンズホルダー１８には逃げ凹部１９ｃ、１９ｃ、１９ｃが形成されているため、素子ホルダー２２が第２の可動用レンズホルダー１８に近接したときに位置決め用突部２４が逃げ凹部１９ｃ、１９ｃ、１９ｃに挿入可能であり、素子ホルダー２２と第２の可動用レンズホルダー１８との干渉を回避することができる。従って、位置決め用突部２４が逃げ凹部１９ｃ、１９ｃ、１９ｃに挿入可能である分、カメラ装置１の光軸方向における長さを短くすることが可能であり、カメラ装置１の薄型化を図ることができる。
【００３５】
レンズ鏡筒２の前面部７と素子ホルダー２２との間には案内手段２６が配置される（図６及び図７参照）。案内手段２６は第１の可動用レンズホルダー１４を案内する一対の第１の案内軸２７、２７と第２の可動用レンズホルダー１８を案内する一対の第２の案内軸２８、２８とによって構成されている。第１の案内軸２７、２７の前後両端部がそれぞれ前面部７の軸挿入孔７ｂ、７ｂと素子ホルダー２２の軸挿入孔２３ｃ、２３ｃに挿入されて固定され、第２の案内軸２８、２８の前後両端部がそれぞれ前面部７の軸挿入孔７ｃ、７ｃと素子ホルダー２２の軸挿入孔２３ｄ、２３ｄに挿入されて固定される。
【００３６】
図６に示すように、第１の案内軸２７、２７はそれぞれ第１の可動用レンズホルダー１４の軸挿通孔１４ａと軸挿通切欠１４ｂを挿通され、第２の可動用レンズホルダー１８の逃げ切欠１９ａ、１９ｂに対応して位置されている。第２の案内軸２８、２８はそれぞれ第２の可動用レンズホルダー１８の軸挿通孔１８ａと軸挿通切欠１８ｂを挿通され、第１の可動用レンズホルダー１４の逃げ切欠１５ａ、１５ｂに対応して位置されている。
【００３７】
第１の可動用レンズホルダー１４が第１の案内軸２７、２７に支持された状態においては、図１に示すように、第１の可動用レンズホルダー１４のカム駆動軸１６ａがレンズ鏡筒２の右側の挿通溝８ｂから上方へ突出され、第２の可動用レンズホルダー１８のカム駆動軸２０ａがレンズ鏡筒２の左側の挿通溝８ｃから上方へ突出される。
【００３８】
上記のように、カメラ装置１にあっては、第１の可動用レンズホルダー１４に突部１６を設け該突部１６に軸挿通孔１４ａを形成しており、第２の可動用レンズホルダー１８に突部２０を設け該突部２０に軸挿通孔１８ａを形成しているため、軸挿通孔１４ａ、１８ａの第１の案内軸２７又は第２の案内軸２８を支持する部分が長く、第１の可動用レンズホルダー１４及び第２の可動用レンズホルダー１８の光軸方向における移動を安定させることができる。
【００３９】
図４及び図５に示すように、第１の案内軸２７、２７の中心軸２７ａ、２７ａと第２の案内軸２８、２８の中心軸２８ａ、２８ａは、長方形Ｓの各頂点に交差している。長方形Ｓは、光軸Ｐに直交する面内において対角線Ｔ１、Ｔ２の交点Ｑが光軸Ｐに一致し、かつ、各対辺Ｈ１、Ｈ１及びＨ２、Ｈ２がそれぞれ光軸Ｐに直交するＹ方向（第１の方向）及びＺ方向（第２の方向）に一致している。
【００４０】
このように第１の可動用レンズホルダー１４を支持して案内する第１の案内軸２７、２７及び第２の可動用レンズホルダー１８を支持して案内する第２の案内軸２８、２８が、光軸Ｐを挟んだ反対側に配置されているため、第１の可動用レンズホルダー１４及び第２の可動用レンズホルダー１８の支持状態が安定し、第１の可動用レンズホルダー１４及び第２の可動用レンズホルダー１８が光軸方向へ移動される際の動作の信頼性を確保することができる。
【００４１】
また、第１の案内軸２７、２７の中心軸２７ａ、２７ａと第２の案内軸２８、２８の中心軸２８ａ、２８ａを長方形Ｓの各頂点に交差させるようにしているため、対角線Ｔ１、Ｔ２方向における十分な距離を確保しながら第１の可動用レンズホルダー１４及び第２の可動用レンズホルダー１８の第１の方向（Ｙ方向）又は第２の方向（Ｚ方向）における長さを短くすることが可能であり、第１の可動用レンズホルダー１４及び第２の可動用レンズホルダー１８の支持状態の安定性を確保しながらカメラ装置１の小型化を図ることができる。
【００４２】
レンズ鏡筒２の上面部８にはカム部材３が回転自在に支持されている（図１及び図８参照）。カム部材３は厚みの薄い扇状に形成され、回転中心となる位置に軸固定孔３ａが形成されている。カム部材３の外周寄りの位置には、周方向に離間して第１のカム部３ｂと第２のカム部３ｃが形成されている。
【００４３】
カム部材３の軸固定孔３ａには回転軸２９が挿通されて固定され、該回転軸２９の下端部がレンズ鏡筒２の軸支持孔８ｄに回転自在に支持されている（図２参照）。回転軸２９の下端部がレンズ鏡筒２の軸支持孔８ｄに回転自在に支持された状態においては、第１のカム部３ｂと第２のカム部３ｃとにそれぞれ第１の可動用レンズホルダー１４のカム駆動軸１６ａと第２の可動用レンズホルダー１８のカム駆動軸２０ａとが摺動自在に係合される（図１参照）。カム部材３は外周部がレンズ鏡筒２の上面部８に設けられた摺動突部８ａに対して摺動される。
【００４４】
配置ケース４は横長の扁平な形状を為し（図１参照）、下面に図示しない開口が形成されている。配置ケース４の開口を介して上記回転軸２９が配置ケース４の内部に挿入されている。
【００４５】
配置ケース４の下面には下方に開口された位置決め凹部４ａ、４ａが形成されている（図１参照）。配置ケース４は位置決め凹部４ａ、４ａに、それぞれレンズ鏡筒２のケース取付部６に設けられた位置決め突部１１、１１が嵌合されてレンズ鏡筒２に位置決めされ、取付螺孔１１ａ、１１ａを介してネジ止めされることによりレンズ鏡筒２に固定される。配置ケース４がレンズ鏡筒２に固定された状態においては、配置ケース４の下面とレンズ鏡筒２の上面部８との間に空間が形成され、この空間にカム部材３が配置される（図２参照）。
【００４６】
配置ケース４の内部には駆動機構３０が配置され、該駆動機構３０は１相ステッピングモーター３１と減速機構３２とによって構成されている（図８参照）。１相ステッピングモーター３１は平板状のステーター３３とコイル体３４とステーター３３に対して回転されるローター３５とを備えている。
【００４７】
ステーター３３には上下方向に延びる配置孔３３ａが形成されている。
【００４８】
コイル体３４はステーター３３の一部にコイルが巻回されて成り、左右方向（Ｙ方向）に長く形成されている。
【００４９】
ローター３５はステーター３３の配置孔３３ａに配置され、ローター３５は周方向に着磁されたマグネットを有している。ローター３５の下端部には伝達ギヤ３６が固定されている。
【００５０】
減速機構３２は互いに噛合された複数のギヤ３２ａ、３２ａ、・・・によって構成され、該ギヤ３２ａ、３２ａ、・・・が左右方向に配列されている。減速機構３２の最終段のギヤ３２ａの中心部には、上記回転軸２９の上端側の部分が固定されている。回転軸２９の上端部は配置ケース４内に設けられた図示しない軸受部に回転自在に支持されている。
【００５１】
駆動機構３０において、図示しない駆動回路からコイル体３４に駆動電流が供給されると、コイル体３４に発生する磁界と電流との関係によって、電流の向きに応じた方向へローター３５が回転される。ローター３５が回転されると、１相ステッピングモーター３１の駆動力が伝達ギヤ３６、減速機構３２及び回転軸２９を介してカム部材３に伝達され、該カム部材３が減速されて回転される。
【００５２】
以下に、カム部材３が回転されたときの動作について説明する（図９乃至図１１参照）。
【００５３】
図９に示すように、カム部材３が一方の回転端に位置されて第１の可動用レンズホルダー１４のカム駆動軸１６ａが第１のカム部３ｂの一端部に係合され第２の可動用レンズホルダー１８のカム駆動軸２０ａが第２のカム部３ｃの一端部に係合されている状態においては、第１の可動用レンズホルダー１４と第２の可動用レンズホルダー１８が最も接近した位置にある。
【００５４】
図９に示す状態からカム部材３がＲ１方向へ回転されていくと、第１の可動用レンズホルダー１４と第２の可動用レンズホルダー１８が後方へ移動されていき（図１０参照）、第１の可動用レンズホルダー１４と第２の可動用レンズホルダー１８の移動に伴ってこれらに保持された第１の可動レンズ１７と第２の可動レンズ２１が移動されていく。第２の可動用レンズホルダー１８はカム部材３の同一の回転角度に対して第１の可動用レンズホルダー１４より光軸方向における移動量が大きくされており、第１の可動用レンズホルダー１４と第２の可動用レンズホルダー１８が後方へ移動されるときには、第２の可動用レンズホルダー１８が第１の可動用レンズホルダー１４から徐々に離隔されていく。
【００５５】
さらにカム部材３がＲ１方向へ回転されると第１の可動用レンズホルダー１４と第２の可動用レンズホルダー１８がともに移動範囲における後方側のそれぞれの移動端に位置される（図１１参照）。このときカム部材３が他方の回転端に位置されて第１の可動用レンズホルダー１４のカム駆動軸１６ａが第１のカム部３ｂの他端部に係合され第２の可動用レンズホルダー１８のカム駆動軸２０ａが第２のカム部３ｃの他端部に係合され、第１の可動用レンズホルダー１４と第２の可動用レンズホルダー１８が最も離隔して位置される。
【００５６】
逆に、図１１の状態からカム部材３がＲ２方向へ回転されると、第１の可動用レンズホルダー１４と第２の可動用レンズホルダー１８がともに前方へ移動されていき、両者の間隔が徐々に狭まっていく。
【００５７】
上記のようにカム部材３が回転され第１の可動用レンズホルダー１４と第２の可動用レンズホルダー１８が移動されるときには、第１の可動用レンズホルダー１４の突部１６が第２の可動用レンズホルダー１８の逃げ切欠１９ａに対応し突部１６が第２の可動用レンズホルダー１８の保持枠部１９にオーバーラップされ、第２の可動用レンズホルダー１８の突部２０が第１の可動用レンズホルダー１４の逃げ切欠１５ａに対応し突部２０が第１の可動用レンズホルダー１４の保持枠部１５にオーバーラップされている。
【００５８】
カメラ装置１にあっては、オーバーラップされる突部１６、２０にカム駆動軸１６ａ、２０ａが設けられているため、カム駆動軸１６ａ、２０ａを光軸方向において近づけて位置させることができる。従って、カム部材３が大型とならずカメラ装置１の光軸方向における薄型化を図ることができる。
【００５９】
尚、上記には第１の可動用レンズホルダー１４と第２の可動用レンズホルダー１８にそれぞれ突部１６、２０を設けた例を示したが、第１の可動用レンズホルダー１４又は第２の可動用レンズホルダー１８の一方に突部１６又は突部２０を設けてカメラ装置１の光軸方向における薄型化を図るようにしてもよい。
【００６０】
また、カメラ装置１にあっては、カム部材３を扇状に形成して撮像素子２５の外形内においてカム部材３を回転させるようにしている（図９及び図１１参照）。従って、カム部材３が回転中に撮像素子２５の後方に突出されることがなく、その分、カメラ装置１の光軸方向における薄型化を図ることができる。
【００６１】
さらに、カメラ装置１にあっては、第１の可動用レンズホルダー１４のカム駆動軸１６ａ及び第２の可動用レンズホルダー１８のカム駆動軸２０ａを、軸方向が上記光軸方向に直交する第１の方向（Ｚ方向）となるように配置し、１相ステッピングモーター３１のコイル体３４を、軸方向が上記光軸方向に直交し、かつ、上記第１の方向に直交する第２の方向（Ｙ方向）となるように配置しているため、カメラ装置１の光軸方向における薄型化を図ることができる。
【００６２】
このようにカメラ装置１は光軸方向における薄型化が図られているため、上記した携帯電話の他、特に薄型化が必要とされる他の電子機器、例えば、ノートブック型のパーソナルコンピューターやＰＤＡ等にもカメラ装置１を組み込むことが可能である。
【００６３】
上記には、第１の可動用レンズホルダー１４と第２の可動用レンズホルダー１８の２つの可動用レンズホルダーを設けた例を示したが、可動用レンズホルダーの数は２つに限られることはなく、本発明は可動用レンズホルダーを１つ又は３つ以上備えたカメラ装置にも適用することができる。
【００６４】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００６５】
【発明の効果】
以上に記載したところから明らかなように、本発明カメラ装置は、可動レンズを保持しカム駆動軸が設けられた少なくとも１つの可動用レンズホルダーと、一方向に長く形成されたコイル体を有する１相ステッピングモーターと、該１相ステッピングモーターの駆動力が伝達される減速機構と、上記カム駆動軸を摺動自在に支持するカム部を有し１相ステッピングモーターの駆動力が上記減速機構を介して伝達されて回転されるカム部材と、可動用レンズホルダーを光軸方向へ案内する案内手段と、可動用レンズホルダーを上記光軸方向へ移動可能に支持するレンズ鏡筒と、該レンズ鏡筒に取り付けられた撮像素子とを備え、可動用レンズホルダーに保持された可動レンズがカム部材の回転によって光軸方向へ移動されるカメラ装置であって、可動用レンズホルダーのカム駆動軸を、その軸方向が上記光軸方向に直交する第１の方向となるように配置し、１相ステッピングモーターのコイル体を、その軸方向が上記光軸方向に直交し、かつ、上記第１の方向に直交する第２の方向となるように配置したことを特徴とする。
【００６６】
従って、可動用レンズホルダーのカム駆動軸及びコイル体は、何れも軸方向が光軸方向に直交する方向となるように配置され、カメラ装置の光軸方向における薄型化を図ることができる。
【００６７】
請求項２に記載した発明にあっては、上記カム部材を略扇状に形成し、上記撮像素子の外形内においてカム部材を回転させるようにしたので、カム部材が回転中に撮像素子から外方へ突出されることがなく、その分、カメラ装置の小型化を図ることができる。
【００６８】
請求項３に記載した発明にあっては、上記可動用レンズホルダーを、第１の可動レンズを保持する第１の可動用レンズホルダーと、光軸が第１の可動レンズの光軸に一致された第２の可動レンズを保持する第２の可動用レンズホルダーとによって構成し、上記案内手段を、上記光軸方向に延び互いに平行に配置した４本の案内軸によって構成し、該４本の案内軸を、第１の可動用レンズホルダーを案内する一対の第１の案内軸と第２の可動用レンズホルダーを案内する一対の第２の案内軸とし、上記光軸に直交する面内において交点が光軸に略一致する任意の第１の直線と第２の直線のうち、第１の直線上の上記交点を挟んだ反対側の任意の点に上記一対の第１の案内軸の中心軸を交差させ、第２の直線上の上記交点を挟んだ反対側の任意の点に上記一対の第２の案内軸の中心軸を交差させるようにしたので、可動用レンズホルダーの支持状態が安定し、可動用レンズホルダーが光軸方向へ移動される際の動作の信頼性を確保することができる。
【００６９】
請求項４に記載した発明にあっては、上記第１の直線と第２の直線が、上記光軸に直交する面内において各対辺がそれぞれ上記第１の方向と第２の方向に略一致する長方形の対角線であり、上記一対の第１の案内軸と一対の第２の案内軸の各中心軸を上記長方形の各頂点に交差させるようにしたので、対角線方向における十分な距離を確保しながら可動用レンズホルダーの第１の方向又は第２の方向の長さを短くすることが可能であり、可動用レンズホルダーの支持状態の安定性を確保しながらカメラ装置の小型化を図ることができる。
【００７０】
請求項５に記載した発明にあっては、上記可動用レンズホルダーを、第１の可動レンズを保持する第１の可動用レンズホルダーと、光軸が第１の可動レンズの光軸に一致された第２の可動レンズを保持する第２の可動用レンズホルダーとによって構成し、上記第１の可動用レンズホルダーと第２の可動用レンズホルダーの少なくとも一方に、第２の可動用レンズホルダー側又は第１の可動用レンズホルダー側へ突出し第２の可動用レンズホルダー又は第１の可動用レンズホルダーの移動範囲にオーバーラップする突部を設け、該突部の少なくとも一方に上記カム駆動軸を設けたので、２つのカム駆動軸を光軸方向において近づけて位置させることができ、カム部材が大型とならずカメラ装置の光軸方向における薄型化を図ることができる。
【００７１】
請求項６に記載した発明にあっては、上記撮像素子を保持すると共に上記可動用レンズホルダーに保持された可動レンズに対向して配置される素子ホルダーを設け、該素子ホルダーに、可動用レンズホルダー側に突出されレンズ鏡筒に対する位置決めを行うための位置決め用突部を設け、可動用レンズホルダーに位置決め用突部が挿入可能な逃げ凹部を形成したので、フランジバック調整において、位置決め用突部が逃げ凹部に挿入可能である分、カメラ装置の光軸方向における長さを短くすることが可能であり、カメラ装置の薄型化を図ることができる。
【００７２】
別の本発明カメラ装置は、第１の可動レンズを保持しカム駆動軸が設けられた第１の可動用レンズホルダーと、光軸が第１の可動レンズの光軸に一致された第２の可動レンズを保持しカム駆動軸が設けられた第２の可動用レンズホルダーと、上記カム駆動軸をそれぞれ摺動自在に支持する第１のカム部と第２のカム部とを有する回転可能なカム部材と、第１の可動用レンズホルダー及び第２の可動用レンズホルダーを光軸方向へ案内する案内手段と、第１の可動用レンズホルダーと第２の可動用レンズホルダーをを上記光軸方向へ移動可能に支持するレンズ鏡筒と、該レンズ鏡筒に取り付けられた撮像素子とを備え、第１の可動用レンズホルダーに保持された第１の可動レンズと第２の可動用レンズホルダーに保持された第２の可動レンズとがカム部材の回転によって光軸方向へ移動されるカメラ装置であって、上記第１の可動用レンズホルダーと第２の可動用レンズホルダーの少なくとも一方に、第２の可動用レンズホルダー側又は第１の可動用レンズホルダー側へ突出し第２の可動用レンズホルダー又は第１の可動用レンズホルダーの移動範囲にオーバーラップする突部を設け、該突部の少なくとも一方に上記カム駆動軸を設けたことを特徴とする。
【００７３】
従って、２つのカム駆動軸を光軸方向において近づけて位置させることができ、カム部材が大型とならずカメラ装置の光軸方向における薄型化を図ることができる。
【００７４】
請求項８に記載した発明にあっては、上記カム部材を略扇状に形成し、上記撮像素子の外形内においてカム部材を回転させるようにしたので、カム部材が回転中に撮像素子から外方へ突出されることがなく、その分、カメラ装置の小型化を図ることができる。
【００７５】
請求項９に記載した発明にあっては、上記案内手段を、上記光軸方向に延び互いに平行に配置した４本の案内軸によって構成し、該４本の案内軸を、第１の可動用レンズホルダーを案内する一対の第１の案内軸と第２の可動用レンズホルダーを案内する一対の第２の案内軸とし、上記光軸に直交する面内において交点が光軸に略一致する任意の第１の直線と第２の直線のうち、第１の直線上の上記交点を挟んだ反対側の任意の点に上記一対の第１の案内軸の中心軸を交差させ、第２の直線上の上記交点を挟んだ反対側の任意の点に上記一対の第２の案内軸の中心軸を交差させるようにしたので、第１の可動用レンズホルダーと第２の可動用レンズホルダーの支持状態が安定し、第１の可動用レンズホルダーと第２の可動用レンズホルダーが光軸方向へ移動される際の動作の信頼性を確保することができる。
【００７６】
請求項１０に記載した発明にあっては、上記第１の直線と第２の直線が、上記光軸に直交する面内において各対辺がそれぞれ上記第１の方向と第２の方向に略一致する長方形の対角線であり、上記一対の第１の案内軸と一対の第２の案内軸の各中心軸を上記長方形の各頂点に交差させるようにしたので、対角線方向における十分な距離を確保しながら可動用レンズホルダーの第１の方向又は第２の方向の長さを短くすることが可能であり、可動用レンズホルダーの支持状態の安定性を確保しながらカメラ装置の小型化を図ることができる。
【００７７】
請求項１１に記載した発明にあっては、上記撮像素子を保持すると共に上記可動用レンズホルダーに保持された可動レンズに対向して配置される素子ホルダーを設け、該素子ホルダーに、可動用レンズホルダー側に突出されレンズ鏡筒に対する位置決めを行うための位置決め用突部を設け、可動用レンズホルダーに位置決め用突部が挿入可能な逃げ凹部を形成したので、フランジバック調整において、位置決め用突部が逃げ凹部に挿入可能である分、カメラ装置の光軸方向における長さを短くすることが可能であり、カメラ装置の薄型化を図ることができる。
【図面の簡単な説明】
【図１】図２乃至図１１と共に本発明の実施の形態を示すものであり、本図はカメラ装置の分解斜視図である。
【図２】一部を断面にして示すカメラ装置の拡大側面図である。
【図３】レンズ鏡筒に配置又は支持される各部を示す拡大断面図である。
【図４】各案内軸とともに示す第１の可動用レンズホルダーの拡大正面図である。
【図５】各案内軸とともに示す第２の可動用レンズホルダーの拡大正面図である。
【図６】第１の可動用レンズホルダー、第２の可動用レンズホルダーと各案内軸との位置関係を示す拡大斜視図である。
【図７】素子ホルダーを各案内軸とともに示す拡大斜視図である。
【図８】駆動機構とカム部材を一部を分解して示す拡大斜視図である。
【図９】図１０及び図１１と共にカム部材が回転されたときの動作を示すものであり、本図はカム部材が一方の回転端に位置されている状態を示す拡大平面図である。
【図１０】カム部材が回転されている途中の状態を示す拡大平面図である。
【図１１】カム部材が他方の回転端に位置されている状態を示す拡大平面図である。
【符号の説明】
１…カメラ装置、２…レンズ鏡筒、３…カム部材、３ｂ…第１のカム部、３ｃ…第２のカム部、１４…第１の可動用レンズホルダー、１６…突部、１６ａ…カム駆動軸、１７…第１の可動レンズ、１８…第２の可動用レンズホルダー、１９ｃ…逃げ凹部、２０…突部、２０ａ…カム駆動軸、２１…第２の可動レンズ、２２…素子ホルダー、２４…位置決め用突部、２５…撮像素子、２６…案内手段、２７…第１の案内軸、２７ａ…中心軸、２８…第１の案内軸、２８ａ…中心軸、３１…１相ステッピングモーター、３２…減速機構、３４…コイル体、Ｈ１…対辺、Ｈ２…対辺、Ｔ１…対角線、Ｔ２…対角線、Ｓ…長方形
【図１】
2004191657.tif 000003
【図２】
2004191657.tif 000004
【図３】
2004191657.tif 000005
【図４】
2004191657.tif 000006
【図５】
2004191657.tif 000007
【図６】
2004191657.tif 000008
【図７】
2004191657.tif 000009
【図８】
2004191657.tif 000010
【図９】
2004191657.tif 000011
【図１０】
2004191657.tif 000012
【図１１】
2004191657.tif 000013